(57)【特許請求の範囲】
【請求項１】
複数の第１のミキシングバスで、複数の入力チャンネルで処理した音響信号をそれぞれミキシングし、該ミキシング後の音響信号を、前記複数のミキシングバスの各々と対応する複数の出力チャンネルで、それぞれ複数の第１の信号処理モジュールからなる信号処理モジュール群による信号処理を行う音響信号処理装置であって、
前記各出力チャンネルにおいて、前記信号処理モジュール群の前後の箇所にそれぞれ出力ポイントを設け、
前記出力チャンネル毎に、それぞれ独立して前記出力ポイントのいずれかを選択する第１及び第２の選択手段と、
前記各出力チャンネルにおける、該出力チャンネルについて前記第１の選択手段が選択した出力ポイントの音響信号を、該出力チャンネルの外部に該出力チャンネルと対応させて設けた第２の信号処理モジュールに供給する第１の供給手段と、
前記第２の信号処理モジュールによる信号処理後の音響信号を出力する出力手段と、
それぞれ供給される音響信号をミキシングして出力する複数の第２のミキシングバスと、
前記各出力チャンネルにおける、該出力チャンネルについて前記第２の選択手段が選択した出力ポイントの音響信号を、前記複数の第２のミキシングバスのうち任意の１又は複数に供給する第２の供給手段と、
前記複数の出力チャンネルのうちユーザが選択した１又は複数の出力チャンネルについて、前記第２の選択手段に、該出力チャンネルについて前記信号処理モジュール群の後ろの箇所の出力ポイントを選択させ、前記第２の供給手段に、該出力チャンネルの音響信号が供給される前記第２のミキシングバスに他の出力チャンネルの音響信号が供給されないように音響信号の供給先を制御させる制御手段とを設けたことを特徴とする音響信号処理装置。
【請求項２】
請求項１に記載の音響信号処理装置であって、
前記第２の信号処理モジュールは、それぞれ対応する出力チャンネルの前記信号処理モジュール群を構成する複数の第１の信号処理モジュールのいずれかと同じものである１又は複数の信号処理モジュールを備え、
前記第２の信号処理モジュールが備える各信号処理モジュールは、対応する前記第１の信号処理モジュールが用いるものと同じパラメータの値を用いて信号処理を行うことを特徴とする音響信号処理装置。
【請求項３】
請求項２に記載の音響信号処理装置であって、
前記第２の信号処理モジュールは、それぞれ対応する出力チャンネルの前記信号処理モジュール群を構成する複数の第１の信号処理モジュールのいずれかと同じものである複数の信号処理モジュールを備え、
前記第２の信号処理モジュールに、該第２の信号処理モジュールが備える信号処理モジュール毎に、供給された音響信号に対して該信号処理モジュールによる信号処理を行うか否かを切り替える切替手段を設けたことを特徴とする音響信号処理装置。
【発明の詳細な説明】
【技術分野】
【０００１】
この発明は、ミキシングバスで、複数の入力チャンネルから入力する音響信号をミキシングし、そのミキシング後の音響信号を、上記ミキシングバスと対応する出力チャンネルを介して出力する音響信号処理装置に関する。
【背景技術】
【０００２】
従来から、デジタルミキサ等のミキシング機能を備えた音響信号処理装置が知られている。例えば、非特許文献１には、図９に示すような信号処理構成のミキシング機能をそなえたデジタルミキサが開示されている。また、図１０に、図９に示した構成のうち入力チャンネルと出力チャンネルの構成をより詳細に示す。
【０００３】
すなわち、非特許文献１に記載のデジタルミキサは、音響信号処理を行うプロセッサであるＤＳＰ（デジタルシグナルプロセッサ）に、入力パッチ２０１、入力ｃｈ（チャンネル）２０２、ミキシングバス２０３、ダイレクトアウト２０４、出力ｃｈ２０５、マトリクスバス２０６、出力パッチ２０７の機能を備える。
このうち入力パッチ２０１は、複数の入力ｃｈ２０２にそれぞれ、音響信号を入力するための不図示の入力端子と対応するように用意された入力ポートのいずれかをパッチ（結線）し、各入力ｃｈに、パッチした入力ポートに入力する音響信号を供給する。
【０００４】
また、各入力ｃｈ２０２は、図１０に示すように、位相反転部２１１、ノイズゲート２１２、イコライザ２１３、コンプレッサ２１４、ディレイ２１５、オンオフ制御部２１６及びレベル調整部２１７を備える。
そして、位相反転部２１１からレベル調整部２１７までの各信号処理モジュールにより、入力ポートから供給された音響信号に対し、信号の振幅や周波数等の特性を調整するための種々の信号処理を行う。そして、この信号処理後の音響信号を、ミキシングバス２０３を構成する複数のバスのうち任意の１又は複数のバスへ出力する。
そして、複数の入力ｃｈ２０２から同様にミキシングバス２０３に音響信号を入力し、ミキシングバス２０３ではそれら複数の入力ｃｈ２０２から入力される音響信号をミキシングして、対応する出力ｃｈ２０５に出力する。
【０００５】
この出力ｃｈ２０５は、図１０に示すように、アッテネータ２２１、パラメトリック(Ｐ)イコライザ２２２、コンプレッサ２２３、オンオフ制御部２２４、レベル調整部２２５，ディレイ２２６、グラフィック(Ｇ)イコライザ２２７を備える。
そして、アッテネータ２２１からＧイコライザ２２７までの各信号処理モジュールにより、ミキシングバス２０３においてミキシングされた音響信号に対し、信号の振幅や周波数等の特性を調整するための種々の信号処理を行う。
【０００６】
また、出力パッチ２０７は、各出力ｃｈ２０５と、不図示の出力端子と対応するように用意された出力ポートのいずれかとをパッチし、出力ｃｈ２０５において信号処理がなされた後の音響信号を、パッチした出力ポートへ出力する。
デジタルミキサは、以上の構成により、ミキシングバス２０３で、複数の入力チャンネル２０２から入力する音響信号をミキシングし、そのミキシング後の音響信号を、上記ミキシングバス２０３と対応する出力チャンネル２０５を介して出力することができる。
【０００７】
ところで、このようなデジタルミキサにおいて、出力ｃｈ２０５は例えば、ステージやホール等に設けられたスピーカから音声を出力するいわゆるＦＯＨ（フロントオブハウス）用の音響信号を出力するために用いられる。この場合、出力ｃｈ２０５においては、ミキシング後の音響信号を、このＦＯＨの用途に適した特性に調整する信号処理を行うことになる。また、演奏等の実演中においても、随時処理パラメータを編集して信号処理の内容を微調整する場合もある。
【０００８】
一方、入力信号を録音しようとする場合、このようなＦＯＨ用に調整された音響信号を用いることは、好ましくない。また、録音用の音響信号が録音中にＦＯＨ用の微調整の影響を受けることも好ましくない。そしてこのため、レコーディング機器等への出力のために、入力ｃｈで処理した信号を、出力ｃｈでの信号処理を経ずに出力したいという要望があった。
【０００９】
そして、非特許文献１に記載のデジタルミキサにおいては、このための機能として、入力ｃｈ毎に、図１０に示したＡからＣまでの出力ポイントの１つをダイレクトアウト信号選択スイッチ２１８により選択して、入力ｃｈ２０２中のその出力ポイントにおける音響信号を、ダイレクトアウト２０４を介して出力パッチ２０７へ出力する、いわゆるダイレクトアウト機能を設けている。
【００１０】
また、これとは別に、出力ｃｈ毎に、図１０に示したＤ及びＥの出力ポイントの１つを出力ポイント選択スイッチ２２８により選択して、出力ｃｈ２０５中のその出力ポイントにおける音響信号をマトリクスバス２０６に入力してミキシングする、いわゆるマトリクスミキサ機能も設けている。そして、マトリクスバス２０６においてミキシングした音響信号は、出力パッチ２０７へ出力する。
【００１１】
そして、以上のダイレクトアウト２０４及びマトリクスバス２０６から出力パッチ２０７へ出力する音響信号も、出力ｃｈ２０５から出力する音響信号と同様、不図示の波形出力端子と対応するように用意された出力ポートにパッチし、そのポートと対応する出力端子から出力させることができる。
【先行技術文献】
【非特許文献】
【００１２】
【非特許文献１】「ＤＩＧＩＴＡＬ  ＭＩＸＩＮＧ  ＣＯＮＳＯＬＥ  ＤＭ２０００  Ｖｅｒｓｉｏｎ２  取扱説明書」，ヤマハ株式会社，２００４年
【発明の概要】
【発明が解決しようとする課題】
【００１３】
しかしながら、上述のダイレクトアウト機能を用いた場合、入力ｃｈ毎に１つのダイレクトアウト２０４を設けることになるため、入力ｃｈの数が増えた場合、多数の信号伝送路が必要になり、また出力パッチ２０７が扱うべき信号の数も増え、信号処理構成が複雑になってしまうという問題があった。また、出力された音響信号を受け取る側でも、各入力ｃｈの信号をばらばらに受け取るより、いくつかの入力ｃｈの信号をまとめて受け取りたいという要求があったが、このような要求に応えることはできなかった。
【００１４】
この発明は、このような問題を解決し、音響信号処理装置におけるミキシングのための信号処理構成をあまり複雑化せずに、入力ｃｈで処理した音響信号を、出力ｃｈにおける不要な信号処理の影響を受けないように、複数ｃｈ分まとめて出力可能とすることを目的とする。
【課題を解決するための手段】
【００１６】
この発明の音響信号処理装置は、上記の目的を達成するため、複数の第１のミキシングバスで、複数の入力チャンネルで処理した音響信号をそれぞれミキシングし、そのミキシング後の音響信号を、上記複数のミキシングバスの各々と対応する複数の出力チャンネルで、それぞれ複数の第１の信号処理モジュールからなる信号処理モジュール群による信号処理を行う音響信号処理装置において、上記各出力チャンネルにおいて、上記信号処理モジュール群の前後の箇所にそれぞれ出力ポイントを設け、上記出力チャンネル毎に、それぞれ独立して上記出力ポイントのいずれかを選択する第１及び第２の選択手段と、上記各出力チャンネルにおける、その出力チャンネルについて上記第１の選択手段が選択した出力ポイントの音響信号を、その出力チャンネルの外部にその出力チャンネルと対応させて設けた第２の信号処理モジュールに供給する第１の供給手段と、上記第２の信号処理モジュールによる信号処理後の音響信号を出力する出力手段と、それぞれ供給される音響信号をミキシングして出力する複数の第２のミキシングバスと、上記各出力チャンネルにおける、その出力チャンネルについて上記第２の選択手段が選択した出力ポイントの音響信号を、上記複数の第２のミキシングバスのうち任意の１又は複数に供給する第２の供給手段と、上記複数の出力チャンネルのうちユーザが選択した１又は複数の出力チャンネルについて、上記第２の選択手段に、その出力チャンネルについて上記信号処理モジュール群の後ろの箇所の出力ポイントを選択させ、上記第２の供給手段に、その出力チャンネルの音響信号が供給される上記第２のミキシングバスに他の出力チャンネルの音響信号が供給されないように音響信号の供給先を制御させる制御手段とを設けたものである。
【００１７】
上記の音響信号処理装置において、上記第２の信号処理モジュールに、それぞれ対応する出力チャンネルの上記信号処理モジュール群を構成する複数の第１の信号処理モジュールのいずれかと同じものである１又は複数の信号処理モジュールを設け、上記第２の信号処理モジュールが備える各信号処理モジュールが、対応する上記第１の信号処理モジュールが用いるものと同じパラメータの値を用いて信号処理を行うようにするとよい。
【００１８】
さらに、上記第２の信号処理モジュールに、それぞれ対応する出力チャンネルの上記信号処理モジュール群を構成する複数の第１の信号処理モジュールのいずれかと同じものである複数の信号処理モジュールを設け、上記第２の信号処理モジュールに、その第２の信号処理モジュールが備える信号処理モジュール毎に、供給された音響信号に対してその信号処理モジュールによる信号処理を行うか否かを切り替える切替手段を設けるとよい。
【発明の効果】
【００１９】
以上のようなこの発明の音響信号処理装置によれば、ミキシングのための信号処理構成をあまり複雑化せずに、入力ｃｈで処理した音響信号を、出力ｃｈにおける不要な信号処理の影響を受けないように、複数ｃｈ分まとめて出力可能とすることができる。
【図面の簡単な説明】
【００２０】
【図１】この発明の音響信号処理装置の第１の実施形態であるデジタルミキサの概略ハードウェア構成を示す図である。
【図２】図１に示したＤＳＰで実行される信号処理の概略構成を示す図である。
【図３】図２に示した出力ｃｈとダイレクトアウト出力部の構成をより詳細に示す図である。
【図４】ダイレクトアウト出力部に関する設定操作を受け付けるための画面の例を示す図である。
【図５】この発明の第２の実施形態であるデジタルミキサのＤＳＰで実行される信号処理の概略構成を示す図である。
【図６】図５に示した出力ｃｈ、ダイレクトアウト出力部及びマトリクス出力部の構成をより詳細に示す図である。
【図７】マトリクス出力部に関する設定操作を受け付けるための画面の例を示す図である。
【図８】図７に示した画面の操作に応じてデジタルミキサのＣＰＵが実行する処理の例を示す図である。
【図９】従来のデジタルミキサが備えるＤＳＰで実行される信号処理の例を示す図である。
【図１０】図９に示した入力ｃｈと出力ｃｈの構成をより詳細に示す図である。
【発明を実施するための形態】
【００２１】
以下、この発明を実施するための形態を図面に基づいて具体的に説明する。
〔第１の実施形態：図１乃至図４〕
まず、この発明の音響信号処理装置の第１の実施形態であるデジタルミキサについて説明する。
図１に、そのデジタルミキサの概略ハードウェア構成を示す。
【００２２】
図１に示すように、デジタルミキサ１０は、ＣＰＵ１１、フラッシュメモリ１２、ＲＡＭ１３、外部機器入出力部（Ｉ／Ｏ）１４、表示器１５、操作子１６、電動フェーダ１７、波形Ｉ／Ｏ１８、ＤＳＰ１９、エフェクタ２０を備え、これらをシステムバス２１により接続している。また、波形Ｉ／Ｏ１８、ＤＳＰ１９及びエフェクタ２０は、デジタル音響信号であるオーディオデータを伝送するためのオーディオバス２２によっても接続している。
【００２３】
このうちＣＰＵ１１は、デジタルミキサ１０の動作を統括制御する制御手段であり、フラッシュメモリ１２に記憶された所要のプログラムを実行することにより、波形Ｉ／Ｏ１８における音響信号の入出力や表示器１５における表示を制御したり、操作子１６や電動フェーダ１７の操作を検出してその操作に従って、デジタルミキサ１０における各種処理パラメータの値の編集を行ったり、ＤＳＰ１９やエフェクタ２０における信号処理を制御したりといった処理を行う。
【００２４】
フラッシュメモリ１２はＣＰＵ１１が実行する制御プログラム等を記憶する書き換え可能な不揮発性記憶手段であり、ＲＡＭ１３は一時的に記憶すべきデータを記憶したり、ＣＰＵ１１のワークメモリとして使用したりする揮発性記憶手段である。
外部機器Ｉ／Ｏ１４は、種々の外部機器を接続し入出力を行うためのインタフェースであり、例えば外部のディスプレイ、マウス、文字入力用のキーボード、操作パネル等を接続するためのインタフェースが用意される。
【００２５】
表示器１５は、ＣＰＵ１１の制御に従って種々の情報を表示する表示手段であり、例えば液晶パネル（ＬＣＤ）や発光ダイオード（ＬＥＤ）によって構成できる。
操作子１６は、デジタルミキサ１０に対する操作を受け付けるためのものであり、種々のキー、ボタン、ロータリーエンコーダ、スライダ等によって構成できる。表示器１５であるＬＣＤに積層したタッチパネルを用いることもできる。
【００２６】
電動フェーダ１７は、主にＤＳＰ１９の入力ｃｈ（チャンネル）及び出力ｃｈにおけるレベルパラメータを設定するためのスライダ操作子であり、ＣＰＵ１１からの制御によりつまみを任意の位置に移動させるための駆動手段を備えている。
波形Ｉ／Ｏ１８は、ＤＳＰ１９で処理すべき音響信号の入力を受け付け、また処理後の音響信号を出力するためのインタフェースである。波形Ｉ／Ｏ１８は、複数のアナログ入力端子、複数のアナログ出力端子、複数のデジタル入出力端子などを備えた入出力ボードを持ち、これらを介して音響信号の入出力を行う。
【００２７】
ＤＳＰ１９は、デジタル信号処理回路で構成され、波形Ｉ／Ｏ１８から入力されるデジタルの音響信号にミキシングやイコライジング等の信号処理を施し、信号処理後の音響信号を再び波形Ｉ／Ｏ１８に出力するミキシング機能を実行する。その信号処理は各種処理パラメータの現在値（カレントデータ）により制御される。そのカレントデータは、上記操作子１６の操作によりユーザが編集可能であり、ＲＡＭ１３あるいはＤＳＰ１９自身に備えるカレントメモリに記録される。
【００２８】
エフェクタ２０は、ＤＳＰ１９にて処理中の音響信号に対し、リバーブ、ディレイ、コーラス等の種々の効果を付与する。このエフェクタ２０を使用する場合、ＤＳＰ１９で処理中の所望の工程の音響信号を取り出してエフェクタ２０に供給して効果を付与させ、効果付与後の音響信号をＤＳＰ１９の元の工程に戻す。
【００２９】
次に、図２に、図１に示したＤＳＰ１９で実行される信号処理の構成を、図９と同様な形式で示す。また、図３に、このうち出力ｃｈとダイレクトアウト出力部の構成をより詳細に示す。なお、これらの信号処理に係る機能は、プロセッサにソフトウェアを実行させることによって実現しても、全てハードウェアによって実現しても、それらの組み合わせでもよい。
【００３０】
図２に示すように、ＤＳＰ１９は、入力パッチ１０１、入力ｃｈ１０２、ミキシングバス１０３、出力ｃｈ１０５、ダイレクトアウト出力部１０６、出力パッチ１０７を備える。そして、図９に示した従来のデジタルミキサにおける信号処理構成と異なるのは、入力ｃｈ１０２から出るダイレクトアウトを設けていない点と、これに代えて、出力ｃｈ１０５からダイレクトアウト出力部１０６を介して出力パッチ１０７へ信号を出力する伝送経路を設けた点及び、出力ｃｈ１０５の構成である。そこで、これらの点を中心に説明する。
【００３１】
まず、ＤＳＰ１９における入力ｃｈ１０２の構成は、詳細な図示は省略したが、図１０に示した入力ｃｈ２０２の構成から、出力ポイントＡ〜Ｃと、ダイレクトアウト信号選択スイッチ２１８とを除いたものである。そして、入力パッチ１０１によりパッチされた入力ポートと対応する波形Ｉ／Ｏ１８の入力端子から入力する音響信号を、位相反転部からレベル調整部までの各信号処理モジュールにより処理して、この信号処理後の音響信号を、複数のミキシングバス１０３のうち任意の１又は複数のバスへ出力する点では、図９及び図１０に示した入力ｃｈ２０２と同様である。
【００３２】
一方、出力ｃｈ１０５の構成は、図１０に示した出力ｃｈ２０５とは大きく異なる。
まず、出力ｃｈ１０５には、信号処理モジュールとして、ハイパスフィルタ１１１、ローパスフィルタ１１２、イコライザ１１３、ダイナミクス１１４、ディレイ１１５、レベル調整部１１６、オンオフ制御部１１７を設けている。
【００３３】
なお、信号処理モジュールとは、何らかの意味のある機能に係る信号処理を行うための、ひとまとまりのソフトウェアまたはハードウェアを指す。ただし、複数の信号処理モジュールを内部に含むような信号処理モジュールがあってもよい。例えば、ハイパスフィルタ１１１とローパスフィルタ１１２は、図３では別々の信号処理モジュールとして示しているが、これらを、周波数特性調整のためのフィルタ処理を行う一体の信号処理モジュールであると捉えることもできる。
【００３４】
また、これとは別に、複数の信号処理モジュールのまとまりを、１つの信号処理モジュール群として捉えることもできる。例えば、図３に示したハイパスフィルタ１１１からオンオフ制御部１１７までの信号処理モジュールをまとめて１つの信号処理モジュール群であると捉えることもできる。この場合、ハイパスフィルタ１１１からオンオフ制御部１１７までの信号処理モジュールは、１つの信号処理モジュール群を構成する複数の信号処理モジュールということになる。
【００３５】
そして、出力ｃｈ１０５は、複数のミキシングバス１０３に対応して複数設けられ、対応するミキシングバス１０３においてミキシングされた音響信号に対し、ハイパスフィルタ１１１からオンオフ制御部１１７までの各信号処理モジュールにより、信号の振幅や周波数等の特性を調整する種々の信号処理を行う。また、この処理後の音響信号は、出力パッチ１０７によって出力ｃｈ１０５とパッチされた出力ポートを介して、波形Ｉ／Ｏ１８におけるその出力ポートと対応する出力端子から出力される。
【００３６】
また、出力ｃｈ１０５には、各信号処理モジュールの前又は後ろに、図３に示すようにPreHPF, PreEQ, PreDyna, PreDelay, PreLevel, PreON, PostONの７つの出力ポイントを設けている。そして、これらのうち選択手段である出力選択スイッチ１２１により選択した位置の音響信号を、出力ｃｈ１０５と対応するダイレクトアウト出力部１０６へ供給することができる。
【００３７】
上記の７つの出力ポイントのうちPreHPFは、出力ｃｈ１０５における最初の信号処理モジュールの手前に位置し、この出力ポイントを選択することにより、ミキシングバス１０３においてミキシングされた直後の、出力ｃｈ１０５における信号処理を行う前の音響信号をダイレクトアウト出力部１０６へ供給することができる。
【００３８】
逆に、PostONは出力ｃｈ１０５における最後の信号処理モジュールの後に位置し、この出力ポイントを選択することにより、出力ｃｈ１０５における全ての信号処理が完了した後の、出力パッチ１０７を介して出力ポートへ出力するものと同じ音響信号を、ダイレクトアウト出力部１０６へ供給することができる。
その他の出力ポイントを選択した場合、出力ｃｈ１０５における信号処理の一部を施した後の音響信号を、ダイレクトアウト出力部１０６へ供給することができる。
なお、出力選択スイッチ１２１は、ｃｈ毎に独立して切り替えることができる。
【００３９】
ここで、ダイレクトアウト出力部１０６は、ミキシングバス１０３においてミキシングされた音響信号を出力するための、出力ｃｈ１０５とは別の信号出力パスとして設けた第２の信号処理モジュールであり、設定内容によっては図９に示したダイレクトアウト２０４と同様な伝送経路としても利用可能であるが、他の種々の用途で用いることもできる。そして、ダイレクトアウト出力部１０６も、出力ｃｈ１０５と同様に、出力パッチ１０７により出力ポートにパッチして、ダイレクトアウト出力部１０６から出力される音響信号を波形Ｉ／Ｏ１８の出力端子から出力することができる。
【００４０】
そして、このダイレクトアウト出力部１０６には、上述の出力選択スイッチ１２１に加え、信号処理モジュールとしてオンオフ制御部１２２とレベル調整部１２４を設けると共に、入力する音響信号に対してこれらの信号処理モジュールによる信号処理を行うか否かを選択するための切り替え手段であるフォローオンスイッチ１２３及びフォローレベルスイッチ１２５を設けている。なお、フォローオンスイッチ１２３及びフォローレベルスイッチ１２５は、各ダイレクトアウト出力部１０６について独立して切り替え可能である。
【００４１】
また、オンオフ制御部１２２及びレベル調整部１２４は、対応する出力ｃｈ１０５におけるオンオフ制御部１１７及びレベル調整部１１６と同じアルゴリズムの信号処理を、そのオンオフ制御部１１７及びレベル調整部１１６が処理に使用するパラメータと同じパラメータ（カレントメモリに記憶された同じ項目のパラメータ）の値を用いて実行する。従って、オンオフ制御部１２２及びレベル調整部１２４は、ダイレクトアウト出力部１０６に供給される音響信号に対し、それぞれオンオフ制御部１１７及びレベル調整部１１６と全く同じ内容の信号処理を実行することになる。
【００４２】
このため、例えば、出力ｃｈ１０５から出力パッチ１０７に出力される音響信号と、出力ポイントPreONから取り出した音響信号を、フォローオンスイッチ１２３をオンにし、フォローレベルスイッチ１２５をオフにしたダイレクトアウト出力部１０６に供給し、オンオフ制御部１２２による信号処理を行った後で出力パッチ１０７に出力される音響信号とは、（信号伝送経路の差に伴う若干のタイミング差を補正すれば）全く同じものとなる。
【００４３】
以上の構成を有する出力ｃｈ１０５及びダイレクトアウト出力部１０６において、出力選択スイッチ１２１により出力ポイントPreHPFを選択すると共に、フォローオンスイッチ１２３とフォローレベルスイッチ１２５の双方をオフにすれば、ミキシングバス１０３においてミキシングした音響信号を、出力ｃｈ１０５における信号処理内容に影響されずにダイレクトアウト出力部１０６を通して出力することができる。
【００４４】
さらに、ｎ番目のミキシングバス１０３に対して１つの入力ｃｈ１０２からしか音響信号を供給しないようにすれば、ｎ番目の出力ｃｈ１０５と対応するダイレクトアウト出力部１０６からその１つの入力ｃｈ１０２による処理後の音響信号をそのままダイレクトアウト出力として出力できる点において、図９に示したダイレクトアウト２０４と同様な機能を実現することができる。
また、複数の入力ｃｈ１０２の信号をミキシングした後で出力したい場合には、ｎ番目のミキシングバス１０３に対して複数の入力ｃｈ１０２から音響信号を供給すれば、それらの複数の入力ｃｈ１０２の信号をまとめた信号を、ｎ番目の出力ｃｈ１０５と対応するダイレクトアウト出力部１０６からそのまま出力することも可能である。
【００４５】
一般に、入力ｃｈよりも出力ｃｈの方が数が少ないため、このように、ダイレクトアウト用の伝送経路を入力ｃｈではなく出力ｃｈと対応させて設けることにより、信号伝送路の数が無用に増加することを避け、信号処理構成をあまり複雑化せずに、出力ｃｈにおける不要な信号処理の影響を受けない音響信号を出力できるようにすることができる。さらに、複数の入力ｃｈ１０２の信号をまとめた信号を始め、多彩な出力も可能となる。
【００４６】
また、図２及び図３に示した構成では、ダイレクトアウト出力部１０６において、ユーザの好みに応じてオンオフ制御部１２２及びレベル調整部１２４により出力ｃｈ１０５におけるものと同じ信号処理を行うことができる。従って、ダイレクトアウト出力に対しても出力ｃｈ１０５において行う一部の信号処理は反映させたいという要望にも応えることができる。
出力選択スイッチ１２１によりPreEQやPreDynaのように出力ｃｈ１０５の途中に設けた出力ポイントを選択することによっても、ダイレクトアウト出力に対して出力ｃｈ１０５において行う一部の信号処理は反映させる、という効果を実現することができる。
【００４７】
なお、これらの音響信号は、出力ｃｈ１０５における一部の信号処理をバイパスした信号であると捉えることもできる。図９及び図１０に示したような従来の構成であれば、このような音響信号を得るためには、通常の出力ｃｈ２０５の他に、バイパス用の出力ｃｈも設ける必要があった。しかし、図２及び図３に示した構成であれば、ダイレクトアウト用の伝送経路とそのバイパス用の出力ｃｈとを兼ねさせることができ、この点でも、信号処理構成をあまり複雑化せずに多彩な機能を提供することができる。
【００４８】
ただし、出力ｃｈ１０５においてレベル調整部１１６より後ろの出力ポイントPreONやPostONから音響信号を取り出した場合には、ダイレクトアウト出力部１０６においてレベル調整部１２４の処理を行うと処理が二重になってしまう。そこで、このような場合に、出力選択スイッチ１２１の選択に応じて自動的にフォローレベルスイッチ１２５をオフに設定するようにするとよい。オンオフ制御部１１７より後ろの出力ポイントPostONを選択した場合のフォローオンスイッチ１２３についても同様である。
【００４９】
なお、以上説明してきた出力選択スイッチ１２１、フォローオンスイッチ１２３及びフォローレベルスイッチ１２５の切替操作は、図４に示すような画面により受け付けることができる。
図４に示す出力ｃｈ設定画面４００は、デジタルミキサ１０の表示器１５に表示させるＧＵＩ（グラフィカルユーザインタフェース）であり、ｃｈ番号設定部４０１、設定項目選択部４０２、取出位置設定部４０３、フォローオン設定部４０４、フォローレベル設定部４０５、ＯＫボタン４０６及びキャンセルボタン４０７を備える。
【００５０】
このうちｃｈ番号設定部４０１は何番目の出力ｃｈ１０５に関する設定を行うかを設定するためのエリアである。設定項目選択部４０２は、その出力ｃｈ１０５についてどの部分の設定を行うかを選択するためのプルダウンメニューである。出力ｃｈ設定画面４００の表示内容は、ここで選択した項目に応じて異なる。図４には、対応するダイレクトアウト出力部１０６に関する設定を行う状態の例を示している。
【００５１】
そして、取出位置設定部４０３、フォローオン設定部４０４、フォローレベル設定部４０５は、それぞれ出力選択スイッチ１２１、フォローオンスイッチ１２３及びフォローレベルスイッチ１２５が選択する選択肢を設定するためのラジオボタンである。
ＯＫボタン４０６及びキャンセルボタン４０７は、それぞれ出力ｃｈ設定画面４００で設定した内容の確定及び取り消しを指示するためのボタンである。
【００５２】
〔第２の実施形態：図５乃至図８〕
次に、この発明の音響信号処理装置の第２の実施形態であるデジタルミキサについて説明する。なお、このデジタルミキサは、概略ハードウェア構成については図１を用いて説明した第１の実施形態のものと同じであるので、説明を省略する。また、第１の実施形態と共通の又は対応する構成については、同じ符号を用いる。
図５及び図６に、第２の実施形態におけるＤＳＰ１９で実行される信号処理の構成を、図２及び図３と同様な形式で示す。ただし、図５において、入力パッチ１０１と入力ｃｈ１０２は、図２に示した第１の実施形態の構成と共通であるため、図示を省略した。
【００５３】
図５からわかるように、第２の実施形態では、出力ｃｈ１０５から出力パッチ１０７へ直接音響信号を出力する経路を設けず、代わりにマトリクス出力部１０８を経てマトリクスバス１０９へ音響信号を送出する経路を設け、マトリクスバス１０９から出力パッチ１０７へ音響信号を出力するようにした点が、第１の実施形態と異なる。ダイレクトアウト出力部１０６の構成及び機能は、第１の実施形態の場合と同様である。
【００５４】
ここで、マトリクス出力部１０８には、図６に示すように、出力選択スイッチ１３１、オンオフ制御部１３２、フォローオンスイッチ１３３、レベル調整部１３４及びフォローレベルスイッチ１３５を設けている。そして、これらはダイレクトアウト出力部１０６における出力選択スイッチ１２１、オンオフ制御部１２２、フォローオンスイッチ１２３、レベル調整部１２４及びフォローレベルスイッチ１２５と同じ機能を有する。ただし、各スイッチの選択内容は、ダイレクトアウト出力部１０６のものとは独立に設定可能である。
【００５５】
また、マトリクスバス１０９は、複数のバスからなる第２のミキシングバスである。そして、各出力ｃｈ１０５と対応するマトリクス出力部１０８による処理後の音響信号は、その複数のバスのうち任意の１又は複数に供給することができ、マトリクスバス１０９は、バス毎に、そこに供給された全ての音響信号をミキシングする。
出力パッチ１０７は、マトリクスバス１０９を構成する複数のバスの各々を出力ポートとパッチし、各バスでミキシングした信号は、そのバスとパッチされた出力ポートに供給される。
【００５６】
以上の図５及び図６に示した構成では、マトリクス出力部１０８において、出力選択スイッチ１３１により出力ポイントPostONを選択すると共に、フォローオンスイッチ１３３とフォローレベルスイッチ１３５の双方をオフにすれば、出力ｃｈ１０５における信号処理を最後の信号処理モジュールであるオンオフ制御部１１７まで行った音響信号を、そのままマトリクスバス１０９に供給することができる。
【００５７】
そして、マトリクスバス１０９で、その音響信号を他の出力ｃｈ１０５由来の音響信号とミキシングしないように、すなわち、ｎ番目のバスに、１つの出力ｃｈ１０５由来の音響信号のみが入力されるようにすれば、マトリクス出力部１０８及びマトリクスバス１０９を介した経路で、出力パッチ１０７に対し、出力ｃｈ１０５から直接出力した場合と同じ特性の音響信号を出力することができる。
【００５８】
また、ダイレクトアウトが不要である場合には、ダイレクトアウト出力部１０６に同様な設定を行うことによっても、出力パッチ１０７に対し、出力ｃｈ１０５から直接出力した場合と同じ特性の音響信号を出力することができる。
従って、出力ｃｈ１０５から出力パッチ１０７へ直接音響信号を出力する経路を設けなくても、同様な出力が可能であるため、本実施形態のデジタルミキサ１０では、このような経路を省略して信号処理構成の簡略化を図ることができる。
【００５９】
マトリクスバス自体は、図９に示したように従来から知られた機能である。しかし、従来は、マトリクスバスを介した伝送経路を、出力ｃｈから出力パッチへの直接出力の代わりに用いるという思想はなかった。従って、図１０からわかるように、出力ｃｈ２０５における最後の信号処理モジュール（図１０ではＧイコライザ２２７）による信号処理が完了した音響信号をマトリクスバス２０６に供給する経路は用意されていなかった。
本実施形態のデジタルミキサ１０は、出力ポイントPostONの信号をマトリクスバス１０９に供給できるようにしたことにより、マトリクスバス１０９を介した出力を、出力ｃｈ１０５から出力パッチ１０７への直接出力の代わりとして用いることができるようにした点に、特徴を有する。
【００６０】
なお、マトリクスバス１０９のライン数が出力ｃｈ１０５のｃｈ数よりも少ない場合には、マトリクスバス１０９のみにより、出力ｃｈ１０５の信号を全て出力することはできない。しかし、上述のように、本実施形態のデジタルミキサ１０においては、ダイレクトアウト出力が不要な出力ｃｈについては、ダイレクトアウト出力部１０６を介した出力も、適切に設定を行うことによって、出力ｃｈ１０５から出力パッチ１０７への直接出力の代わりとして用いることができる。
従って、マトリクスバス１０９のライン数をある程度用意しておけば、出力ｃｈ１０５における処理後の音響信号が出力できなくなる事態は、無視できる程度しか起こらないと考えられる。
【００６１】
ここで、図７に、マトリクス出力部１０８に関する操作を受け付けるための画面の例を示す。
図７に示す出力ｃｈ設定画面４００′は、図４に示した出力ｃｈ設定画面４００に備える各部に加え、マトリクスセンドボタン４０８、バス選択部４０９及びｃｈ出力設定ボタン４１０を備える。
この出力ｃｈ設定画面４００′は、設定項目選択部４０２においてマトリクス出力部１０８に関する設定を行うことを選択した場合に表示されるものである。
【００６２】
そして、ユーザは、図４に示したものと同様な取出位置設定部４０３、フォローオン設定部４０４及びフォローレベル設定部４０５により、それぞれ出力選択スイッチ１３１、フォローオンスイッチ１３３及びフォローレベルスイッチ１３５が選択する選択肢を設定することができる。
また、マトリクスセンドボタン４０８が押下された場合、マトリクスバス１０９を構成する複数のバスのうちどのバスにマトリクス出力部１０８から音響信号を供給するかを設定するための、不図示の送出先設定画面に移行する。
【００６３】
また、バス選択部４０９及びｃｈ出力設定ボタン４１０は、マトリクスバス１０９を、出力ｃｈ１０５から出力パッチ１０７への直接出力の代わりに用いるための設定を行うためのエリアである。バス選択部４０９によりマトリクスバス１０９中の１ラインのバスが選択された状態で、ｃｈ出力設定ボタン４１０が押下された場合、デジタルミキサ１０は自動的に、その選択されたバスを、ｃｈ番号設定部４０１において設定されている出力ｃｈから出力パッチ１０７への直接出力の代わりに用いるための設定を行う。
【００６４】
図８に、このためにＣＰＵ１１が実行する処理のフローチャートを示す。
この処理において、ＣＰＵ１１はまず、ｃｈ番号設定部４０１において設定されている出力ｃｈと対応するマトリクス出力部１０８につき、出力選択スイッチ１３１にPostONを選択させる（Ｓ１１）。そして、そのマトリクス出力部１０８が備える全てのフォロースイッチ（信号処理モジュールによる処理の有効／無効を選択するためのスイッチで、ここではフォローオンスイッチ１３３とフォローレベルスイッチ１３５）をオフに設定し（Ｓ１２）、マトリクスバス１０９のうちバス選択部４０９で選択されたバスへの信号送出をＯＮに設定する（Ｓ１３）。さらに、他の出力ｃｈ１０５と対応するマトリクス出力部１０８からそのバス選択部４０９で選択されたバスへの信号送出をオフに設定して（Ｓ１４）、処理を終了する。
【００６５】
以上の処理により、マトリクス出力部１０８及びマトリクスバス１０９を介した経路で、出力ｃｈ１０５から処理後の音響信号を出力パッチ１０７へ直接出力した場合と同じ特性の音響信号を出力するための設定を、ユーザのボタン操作に応じて自動的に行うことができる。
なお、ダイレクトアウト出力部１０６についても、同様に出力ｃｈ１０５からの直接出力を代替させるための設定として、ユーザのボタン操作に応じてステップＳ１１及びＳ１２の処理を自動的に行うことができるようにしてもよい。
【００６６】
〔変形例〕
以上で実施形態の説明を終了するが、装置の構成、信号処理構成、画面の表示内容、具体的な処理内容等が上述の実施形態で説明したものに限られないことはもちろんである。
例えば、入力ｃｈや出力ｃｈに設ける信号処理モジュールの種類、数あるいは配列は、図３や図１０に示したものに限られない。出力ｃｈに設ける送出ポイントの数や位置も、図３に示したものに限られない。例えば、ＤＣＡ（デジタルコントロールドアンプリファイア）グループのように、複数の出力ｃｈに跨った設定を行うものであってもよい。
【００６７】
また、ダイレクトアウト出力部１０６やマトリクス出力部１０８に設ける信号処理モジュールの種類、数あるいは配列も、図３や図６に示したものに限られない。もちろん、上述したＤＣＡグループによるレベル調整モジュールや、そのレベル調整モジュールによるレベル調整の有効／無効を切り替えるためのフォローＤＣＡスイッチを設けることも考えられる。
【００６８】
また、ダイレクトアウト出力部１０６とマトリクス出力部１０８とで、設ける信号処理モジュールの種類、数あるいは配列が異なっていてもよい。さらに、ダイレクトアウト出力部１０６とマトリクス出力部１０８の一方又は双方に、信号処理モジュールを全く設けないことも考えられる。また、ダイレクトアウト出力部１０６とマトリクス出力部１０８の一方又は双方に、出力ｃｈ１０５に設けた信号処理モジュールと異なる処理を行う独自の信号処理モジュールを、出力ｃｈ１０５に設けた信号処理モジュールと同じ処理を行う信号処理モジュールに追加して設けることも、妨げられない。
【００６９】
また、この発明を、デジタルミキサ以外の音響信号処理装置に適用することも可能である。例えば、ミキサ機能を備えたシンセサイザ等の電子楽器や、主に外部のＰＣ（パーソナルコンピュータ）から操作するミキサエンジン、ＤＡＷ（デジタルオーディオワークステーション）アプリケーションによって実現されるミキサ機能を備えるＰＣ等にも、この発明を適用可能である。
また、実施形態の説明において述べたものも含め、以上において述べた変形は、矛盾しない範囲で任意に組み合わせて適用可能である。
【産業上の利用可能性】
【００７０】
以上の説明から明らかなように、この発明の音響信号処理装置によれば、ミキシングのための信号処理構成をあまり複雑化せずに、入力ｃｈで処理した音響信号を、出力ｃｈにおける不要な信号処理の影響を受けないように、複数ｃｈ分まとめて出力可能とすることができる。
従って、この発明を適用することにより、音響信号処理装置の利便性を向上させることができる。
【符号の説明】
【００７１】
１０…デジタルミキサ、１１…ＣＰＵ、１２…フラッシュメモリ、１３…ＲＡＭ、１４…外部機器Ｉ／Ｏ、１５…表示器、１６…操作子、１７…電動フェーダ、１８…波形Ｉ／Ｏ、１９…ＤＳＰ、２０…エフェクタ、１０１…入力パッチ、１０２…入力ｃｈ、１０３…ミキシングバス、１０５…出力ｃｈ、１０６…ダイレクトアウト出力部、１０７…出力パッチ、１０８…マトリクス出力部、１０９…マトリクスバス、１２１，１３１…出力選択スイッチ、１２３，１３３…フォローオンスイッチ、１２５，１３５…フォローレベルスイッチ
【図１】
0005533386.tif 000002
【図２】
0005533386.tif 000003
【図３】
0005533386.tif 000004
【図４】
0005533386.tif 000005
【図５】
0005533386.tif 000006
【図６】
0005533386.tif 000007
【図７】
0005533386.tif 000008
【図８】
0005533386.tif 000009
【図９】
0005533386.tif 000010
【図１０】
0005533386.tif 000011